(57)【要約】      （修正有）【課題】部材数が少なく、開閉容易な照明器具の引掛け装置を提供する。【解決手段】照明器具の引掛け装置は、ベースと、ベース内にスライド可能に設置された可動掛け合い部材２と、を含む照明器具の引掛け装置であって、ベースにスライドスイッチが設置されており、スライドスイッチに傾斜溝４が配置され、可動掛け合い部材にプッシュロッド５が配置され、傾斜溝にプッシュロッドが設置されており、傾斜溝と可動掛け合い部材のスライド軌跡とがなす角度が所定の角度となる。【選択図】図３
0003225024.tif 000002
【実用新案登録請求の範囲】
【請求項１】
ベース（１）と、前記ベース（１）内にスライド可能に設置される可動掛け合い部材（２）と、を含む照明器具の引掛け装置であって、
前記ベース（１）にスライドスイッチ（３）が設置されており、前記スライドスイッチ（３）に傾斜溝（４）が配置され、前記可動掛け合い部材（２）にプッシュロッド（５）を有し、前記傾斜溝（４）に前記プッシュロッド（５）が設置されており、前記傾斜溝（４）と前記可動掛け合い部材（２）のスライド軌跡とがなす角度は所定の角度αとなる、ことを特徴とする照明器具の引掛け装置。
【請求項２】
前記傾斜溝（４）の外端には延伸槽（６）が設置されており、前記延伸槽（６）と前記スライド軌跡とがなす角度は９０度以上の夾角βとなる、請求項１に記載の照明器具の引掛け装置。
【請求項３】
前記可動掛け合い部材（２）は２つ備えられており、直径方向に前記ベース（１）に設置され、
前記スライドスイッチ（３）に、前記傾斜溝（４）がミラー配置され、
前記プッシュロッド（５）は前記可動掛け合い部材（２）の中心に位置する、請求項１に記載の照明器具の引掛け装置。
【請求項４】
前記可動掛け合い部材（２）は２つ備えられており、前記ベース（１）に直径方向に設置され、
前記スライドスイッチ（３）に、前記傾斜溝（４）が設置されており、前記プッシュロッド（５）は前記可動掛け合い部材（２）の中心に位置する、請求項２に記載の照明器具の引掛け装置。
【請求項５】
前記スライドスイッチ（３）と前記ベース（１）との間にバネ（７）が設置されており、前記ベース（１）及び前記スライドスイッチ（３）に対する前記バネ（７）の付勢力によって、前記プッシュロッド（５）は前記スライドスイッチ（３）における前記傾斜溝（４）によって外側へ押される、請求項１〜４のいずれか１項に記載の照明器具の引掛け装置。
【請求項６】
前記スライドスイッチ（３）及び前記ベース（１）のそれぞれに固定槽（８）が設置されており、前記バネ（７）の一端は前記スライドスイッチ（３）の前記固定槽（８）に設置され、前記バネ（７）の他端は前記ベース（１）の前記固定槽（８）に設置される、請求項５に記載の照明器具の引掛け装置。
【請求項７】
前記スライドスイッチ（３）に、前記ベース（１）内に位置する駆動板（９）と、前記ベース（１）外に位置する頭部（１０）と、が配置され、前記駆動板（９）と前記頭部（１０）との間にコンロッド（１２）が設置されており、前記ベース（１）はガイド溝（１１）を有し、前記コンロッド（１２）は前記ガイド溝（１１）内に設置される、請求項１〜４のいずれか１項に記載の照明器具の引掛け装置。
【請求項８】
前記傾斜溝（４）は前記駆動板（９）に設置される、請求項７に記載の照明器具の引掛け装置。
【請求項９】
前記スライドスイッチ（３）と前記ベース（１）との間にバネ（７）が設置され、前記駆動板（９）及び前記ベース（１）のそれぞれに固定槽（８）が設置されており、前記バネ（７）の一端は前記駆動板（９）の前記固定槽（８）に設置され、前記バネ（７）の他端は前記ベース（１）の前記固定槽（８）に設置される、請求項７に記載の照明器具の引掛け装置。
【考案の詳細な説明】
【技術分野】
【０００１】
本考案は照明器具の支持装置、照明器具の引掛け装置、または照明器具の連結装置に関する。
【背景技術】
【０００２】
中国特許第２０１３２０４０２６４５９号には、スライドスイッチ式の引掛け装置が開示されている。当該引掛け装置は、カバー、基台、ロック部材、解除ボタン、及び引掛け端子を含む。引掛け端子は基台の下面における対応位置に固定される。ロック部材と解除ボタンが組み合わされ、基台におけるボタン用溝の内側に配置される。ロック部材の穴にはバネが設置されている。当該引掛け装置は、さらにロック固定部材と掛け合い部材を含む。掛け合い部材は弾力性部材によって横方向に伸縮し、掛け合い部材の差込部は引掛け装置の側面から露出しており、ロック固定部材と掛け合い部材が組み合わされて、ロック固定部材によって掛け合い部材の伸縮を制御できる。前記ロック固定部材は、スライドスイッチ、引き部材、押し部材を含む。前記スライドスイッチはスライドスイッチにおける固定ロッドを通して押し部材に固定される。前記引き部材は固定ロッドを被せるように着装されている。前記引き部材は掛け合い部材と当接している。前記スライドスイッチの移動に連れて、押し部材は対応位置内にスライドして、引き部材のスライドによって、掛け合い部材が伸縮する。前記固定ロッドは、引き部材における係止溝を通して位置が調整され、即ち、押し部材が掛け合い部材を止める、または避けることにより、掛け合い部材の伸縮が制御される。
当該押しタイプの引掛け装置におけるロック固定部材は、スライドスイッチ、引き部材、及び押し部材など部材が多く、使用中に移動状態になるため、引っかかりや損害になりやすい。また、それぞれの掛け合い部材にバネが設置されており、合わせて２つのバネが必要となる。そのため、取り付け作業が複雑になり、コストがかかる。
【先行技術文献】
【特許文献】
【０００３】
【特許文献１】中国特許第２０１３２０４０２６４５９号
【考案の概要】
【考案が解決しようとする課題】
【０００４】
本考案が解決しようとする課題は、部材数が少なく、開閉容易な照明器具の引掛け装置を提供することである。
【課題を解決するための手段】
【０００５】
上述の目的を実現させるため、本考案が提供する照明器具の引掛け装置は、天井に取り付けられるベースと、前記ベース内に設置され、前記ベース内にスライド可能な可動掛け合い部材と、を含む照明器具の引掛け装置であって、前記ベースに往復移動可能なスライドスイッチが設置されており、前記可動掛け合い部材がプッシュロッドを有し、前記傾斜溝に前記プッシュロッドが設置されており、前記可動掛け合い部材の前記ベース内におけるスライドはスライド軌跡を形成する。スライドスイッチが押し付けられることによるスライド軌跡と傾斜溝とが特定の夾角αをなす。そのため、当該傾斜溝によってプッシュロッドが押し付けられることで可動掛け合い部材が移動する。この時、プッシュロッドは傾斜溝内に相対的に移動する。従って、傾斜溝の二つの側壁によってプッシュロッドに対し押し込み及び引き戻しができ、それによって可動掛け合い部材をベース内に往復移動させることができる。ボタンを一方に移動させると、可動掛け合い部材をベース内に縮ませることができ、それによって可動掛け合い部材が開放する。この時、照明器具を取り外すことができる。ボタンを他方に移動すると、可動掛け合い部材をベース外に伸ばすことができ、それによって可動掛け合い部材が閉鎖する。この時、照明器具を取り付けることができる。
【考案の効果】
【０００６】
本考案における照明器具の引掛け装置は、ベース、可動掛け合い部材、スライドスイッチの３種類の部材を使用する。部材数が少なく、取り付けも簡単である。それにより、照明器具の取り外し、取り付けが簡単で迅速にできる。
【図面の簡単な説明】
【０００７】
【図１】照明器具の引掛け装置の斜視図である。
【図２】図1を示す背面図である。
【図３】照明器具の引掛け装置を示す組立図である。
【図４】照明器具の引掛け装置におけるスライドスイッチを示す斜視図である。
【図５】図４におけるスライドスイッチを示す組立図である。
【図６】図４におけるスライドスイッチを示す上面図である。
【図７】照明器具の引掛け装置の内部を示す構造図である。
【考案を実施するための形態】
【０００８】
以下に、図面に合わせて、本考案の照明器具の引掛け装置における実施形態の詳細を説明する。
図１に示すように、照明器具の引掛け装置は、天井に取り付けられるベース１を含む。ベース１の上面に２つの引掛け端子１６が露出している。ベース１の側面に可動掛け合い部材２が露出している。図２に示すように、ベース１の下面にスライドスイッチ３が露出しており、側面に固定ロック１８が露出している。図３、７に示すように、当該ベース１にはプラスチック製の上方カバー１４と下方カバー１５とが含まれる。４つのベースネジ２２を通して上方カバー１４と下方カバー１５とが互いに固定される。使用時、上方カバー１４は上端に位置する。上方カバー１４には２つの引掛け端子１６が設置されており、引掛け端子１６は、固定ネジ１７を通して上方カバー１４に固定される。２つの引掛け端子１６は、天井に予め設置される電気コネクタ（図示せず）に係合され接続される。これにより、照明器具の引掛け装置は電気コネクタに電気的に接続され、電気コネクタに固定される。ベース１には固定ロック１８が設置されており、当該固定ロック１８は、ボタン１９、可動ピン２０及び位置戻しバネ２１を含む。固定ロック１８は上方カバー１４と下方カバー１５との間に設置され、ベース１内に挟持されることにより固定される。可動ピン２０は上方カバー１４の外側に伸び出て、ボタン１９はベース１の側面から露出する。取り付けの際、まず、引掛け端子１６を垂直に電気コネクタの引掛け穴に挿入し、水平に回転させる。この時、可動ピン２０が電気コネクタにおける位置決め穴に入る。これにより、照明器具の引掛け装置と電気コネクタとの間が係止し、相対的に回転できなくなる。これで照明器具の引掛け装置は電気コネクタに固定される。取り外す時、ボタン１９を押し込むことで、ボタン１９が内部へ移動し、ボタン１９の斜面と可動ピン２０の斜面との間の押し合いにより、可動ピン２０が下方へ移動する。これにより可動ピン２０の端部が位置決め穴から出る。この時、照明器具の引掛け装置を水平回転させることで、電気コネクタと分離させることができる。
【０００９】
ベース１には可動掛け合い部材２が設置されており、可動掛け合い部材２はベース１内に横方向にスライドできる。可動掛け合い部材２がベース１内に縮んだ場合、照明器具の取り付け穴にベース１が入ることができる。可動掛け合い部材２がベース１外に伸びた場合、可動掛け合い部材２がベース１外側に露出する先端部分は照明器具における取り付け穴の内側に入り込む。これにより、照明器具がベース１に固定され吊下げられる。
【００１０】
図６に示すように、横向きの点線は可動掛け合い部材２のスライド軌跡であって、中央にある縦向きの点線はスライドスイッチ３のスライド軌跡である。ベース１にスライドスイッチ３が設置されている。スライドスイッチ３はベース１で縦方向にスライドする。可動掛け合い部材２はベース１で横方向にスライドする。スライドスイッチ３には傾斜溝４が設置されている。傾斜溝４と可動掛け合い部材２のスライド軌跡となす角度が特定の角度αとなる。可動掛け合い部材２は、傾斜溝４に設置されるプッシュロッド５を有する。一つの方向からスライドスイッチ３を摺動すると、傾斜溝４が連動され、傾斜溝４の一つの側壁がプッシュロッド５の側面に対する内部への推力により、可動掛け合い部材２を内部へ移動させる。別の方向からスライドスイッチ３を摺動すると、傾斜溝４が逆方向へ連動され、傾斜溝４の別の側壁がプッシュロッド５の別の側面に対する外部への推力により、可動掛け合い部材２を外部へ移動させる。
【００１１】
スライドスイッチ３により可動掛け合い部材２をスライドさせることは、プッシュロッド５に対する傾斜溝４の押し込みと、プッシュロッド５と傾斜溝４との相対的移動によるものである。従って、プッシュロッド５をスライドスイッチ３に設置し、傾斜溝４を可動掛け合い部材２に設置しても実現可能である。プッシュロッド５と傾斜溝４の位置入れ替えは本考案に含まれている。
【００１２】
傾斜溝４の外端に延伸槽６が設置されている。延伸槽６とスライド軌跡とは直交であり、または９０度を超えた夾角をなす。プッシュロッド５が傾斜溝４から延伸槽６に入ると、可動掛け合い部材２はベース１の側面から伸び出た状態になる。この時、側面から可動掛け合い部材２が押し付けられても、可動掛け合い部材２はベース１内に縮むことはない。そのため、可動掛け合い部材２が不本意に外力によってベース１内に縮むことを避けることができる。これにより照明器具が照明器具の引掛け装置から外れなくなる。
【００１３】
可動掛け合い部材２は２つ備えられており、直径方向に沿ってベース１に設置される。プッシュロッド５は可動掛け合い部材２の中心に位置する。これにより、同様の２つの可動掛け合い部材２を製造すればよい。スライドスイッチ３には一対の溝４がミラー設置されている。使用時、一つのスライドスイッチ３を摺動するだけで2つの可動掛け合い部材２を内部へ移動させる、または外部へ移動させることができる。そのため、本考案の照明器具の引掛け装置は部材数が少なく、取り付けが簡単、構造がシンプルである。
【００１４】
スライドスイッチ３とベース１との間にバネ７が設置されている。バネ７はベース１及びスライドスイッチ３に付勢し、スライドスイッチ３におけるプッシュロッド５を傾斜溝４の外部方向へ押し出す。この時、可動掛け合い部材２はベース１の外側に伸び出た状態になる。これにより、使用中の照明器具は、照明器具の引掛け装置においてロック状態を維持し、外れなくなる。照明器具を取り外す場合、スライドスイッチ３を押し込み、ベース１内へ可動掛け合い部材２を移動させればよい。
【００１５】
スライドスイッチ３及びベース１のそれぞれに固定槽８が設置されている。バネ７の両端は対応的に2つの固定槽８にそれぞれ設置されている。固定槽８によりバネ７がベース１に係止し、ベース１に固定されるため、取り付けが便利である。バネ７が圧縮された場合、固定槽８の側壁はバネ７の両側を維持し、バネ７の湾曲を防止できる。
【００１６】
図４、５に示すように、スライドスイッチ３にはベース１内に設置される駆動板９及びベース１ 外の頭部１０が含まれる。ベース１はガイド溝１１を有する。駆動板９と頭部１０との間にコンロッド１２が設置されている。コンロッド１２はガイド溝１１内に設置されている。取り付け時、駆動板９を下方カバー１５の内側に設置し、頭部１０を下方カバー１５の外側に設置すればよい。スライドスイッチネジ１３を通して駆動板９と頭部１０とが固定される。この時、スライドスイッチ３は下方カバー１５に固定され、下方カバー１５と一体化する。さらに、スライドスイッチ３はガイド溝１１に沿ってスライドできる。これにより、簡単で迅速に取り付けられる。
【００１７】
[実施形態による有益な効果]
駆動板９は、傾斜溝４及び固定槽８を有する。駆動板９はプラスチックの射出成形により製造される。そのため、製造及び取り付けに便利である。バネ７の両端は対応的に２つの固定槽８にそれぞれ設置される。ベース１が他の物体に対しては相対的に固定されているため、バネ７の付勢力により駆動板９を移動させることができる。延伸槽６を可動掛け合い部材２の片側からプッシュロッド５に係止させることにより、可動掛け合い部材２のスライド軌跡に沿った移動を止めることができる。この時、ベース１の外側から２つの可動掛け合い部材２が押し込まれても、延伸槽６のプッシュロッド５に対する位置制限効果により、可動掛け合い部材２はベース１内へ移動せず、自動的にロック状態になる。
【符号の説明】
【００１８】
１：ベース
２：可動掛け合い部材
３：スライドスイッチ
４：傾斜溝
５：プッシュロッド
６：延伸槽
７：バネ
８：固定槽
９：駆動板
１０：頭部
１１：ガイド溝
１２：コンロッド
【図１】
0003225024.tif 000003
【図２】
0003225024.tif 000004
【図３】
0003225024.tif 000005
【図４】
0003225024.tif 000006
【図５】
0003225024.tif 000007
【図６】
0003225024.tif 000008
【図７】
0003225024.tif 000009